【事件の表示】
　平成　４年特許願第２０９９６６号「ビデオテープレコーダ」拒絶査定不服審判事件〔平成　６年　３月　４日出願公開、特開平　６−　６０６２０〕について、次のとおり審決する。
【結　論】
　本件審判の請求は、成り立たない。
【理　由】
１．手続の経緯・本願発明
　本件審判の請求に係る特許出願（以下、「本願」という。）は、平成４年８月６日の出願であって、平成１４年１月１８日付けで拒絶の理由が通知され、これに対し、同年３月２０日付けで意見書及び手続補正書が提出されたものの、同年４月１２日付けで拒絶をすべきものである旨の査定がなされたものである。そして、平成１４年５月１６日付けで特許法第１２１条第１項に基づき審判請求がなされるとともに、同年６月１０日付けで手続補正がなされ、平成１６年９月１日付けで特許法第１３４条第４項に基づき審尋がなされ、これに対し、同年１１月２日付けで回答書が提出されたものである。そして、その請求項１に係る発明は、平成１４年６月１０日付け手続補正書により補正された明細書及び図面の記載からみて、本願の特許請求の範囲の請求項１に記載されたとおりのものと認められるところ、その請求項１に記載された発明（以下、「本願発明」という。）は次のとおりである。
　
「挿入されたカセットを識別するカセット識別手段と、記録する情報に関するインデックス情報と前記インデックス情報を分類するための前記記録する情報が属する分野を表す記号とを入力または収集する情報獲得手段と、前記カセットに収納されている磁気テープの巻付け位置を検出するテープ位置検出手段と、前記カセット識別手段と前記情報獲得手段と前記テープ位置検出手段からの情報を格納するメモリ手段と、記録時においてそれらの情報を前記メモリ手段に書き込む書き込み手段と、前記カセット識別手段からのカセット識別情報に基づいて前記メモリ手段からインデックス情報と記号とテープ位置情報を読み出す読み出し手段と、前記メモリ手段に格納されたテープ位置情報と前記テープ位置検出手段による現在のテープ位置情報を比較し、その結果に基づいて早送り／巻き戻しを行った後、頭出し信号を検出して記録情報の頭出しを行わせるプログラム検索手段を有し、再生時に前記記号の選択により前記インデックス情報を分類表示し、分類表示された中から選択されるインデックス情報に対応するテープ位置情報に基づき番組を検索することを特徴とするビデオテープレコーダ。」
　
２．公知刊行物（引用例）に記載された発明
　これに対して、原査定の拒絶の理由に引用された特開平２−２７８５８８号公報（以下、「引用例１」という。）及び特開昭６３−１１２８８７号公報（以下、「引用例２」という。）には、それぞれ、以下の事項が図面と共に記載されている。
　
（引用例１）
　引用例１には、次の（１−１）〜（１−７）の事項が記載されている。
　
（１−１）「カセットに収納された記録媒体にプログラムを記録するカセット式記録装置において、
　情報記憶手段を設け、
　少なくとも記録しようとするプログラムに関連する情報、該プログラムの記録媒体上での記録位置情報及びカセット識別情報を、上記プログラムの記録時に上記情報記憶手段に記憶することを特徴とするカセット式記録装置。」（特許請求の範囲）
　
（１−２）「本発明は、このような実情に鑑みてなされたものであり、プログラムに関する情報や記録位置情報等の各種サーチ用情報をメモリ等の記憶手段に記憶させることにより、ラベル等への記入の手間が不要となり、サーチ用情報の書き換えが容易で頻繁に再録画して使用するカセットのプログラムサーチにも好適なカセット式記録装置の提供を目的とする。」（第２頁左下欄第１９行〜同頁右下欄第６行）
　
（１−３）「〔課題を解決するための手段〕
　本発明に係るカセット式記録装置は、上述したような課題を解決するために、第１図に示すように、ビデオテープカセット７等のカセットに収納された記録媒体にテレビジョン放送番組等のプログラムを記録するカセット式記録装置において、情報記憶手段としてのメモリ１１を設け、少なくとも、記録しようとするプログラムに関する情報（例えば記録した月日、曜日、記録開始及び終了時刻、チャンネル等）と、該プログラムの記録媒体上での記録位置情報（例えばテープ位置情報）と、カセット識別情報とを、上記プログラムの記録時に上記情報記憶手段１１に記憶することを特徴とすることにより上述の課題を解決する。」（第２頁右下欄第８行〜第３頁左上欄第１行）
　
（１−４）「〔実施例〕
　以下、本発明に係るカセット式記録装置の実施例について図面を参照しながら説明する。
　第１図は、本発明を民生用のカセット式ビデオテープレコーダ（ＶＴＲ）に適用した一実施例を示す概略的なブロック図である。
　この第１図において、テレビジョン放送番組等の映像プログラムをビデオテープカセットに録画して個人的に楽しむために使用されるカセット式ＶＴＲには、例えばＲＡＭ（ランダムアクセスメモリ）等のメモリ（サーチ情報メモリ）１１が設けられている。このサーチ情報メモリ１１は、いわゆるマイクロプロセッサ等を用いて成るＣＰＵシステム１０内に設けられており、このサーチ情報メモリ１１には、前述したようなサーチ用の情報として、録画しようとするプログラム（テレビジョン放送番組等）に関する情報と、当該プログラムのビデオテープ上での録画位置を示すテープ位置情報と、ＶＴＲに装着されているビデオテープカセットの識別情報とが、上記プログラムの記録時、すなわちテレビジョン番組の録画時に記憶される。上記プログラムに関連する情報としては、例えば月、日、曜日、番組開始（録画開始）時刻及び終了時刻、放送局のチャンネル等が挙げられる。上記テープ位置情報は、テープカセットの種類（何分用か）に応じたリールハブ半径及びテープ厚みの各数値と、供給リール及び巻取リールの各回転数に基づき計算により求めることができ、テープ始端からの絶対位置を例えば録画時間により表示する値となっている。上記カセット識別情報は、複数のカセットを使用する際に各カセットを識別するために用いられるものであり、カセット１個のみの使用を想定する場合には不要となる。
　これら各種サーチ用の情報は、例えば、キー入力部１、チューナ部２、タイマ部３、テープカウンタ部４、テープ位置検出部５及びカセット識別部６等から得ることができる。すなわち、キー入力部１からはプログラムに関するメモや録画しようとするカセットの種類（可分用か）の指示情報等の各種キー入力情報が、チューナ部２からはテレビジョン放送の選局チャンネル情報が、タイマ部３からはテレビジョン放送番組の開始に対応する録画開始時刻及び終了時刻の情報が、テープカウンタ部４からはリール駆動台等の回転検出パルス等を計数（カウント）して得られるテープカウント情報が、テープ位置検出部５からは例えばカセットの種類（何分用か）及び供給／巻取リールの回転数の比等に基づいて計算することにより求められるテープ絶対位置情報が、またカセット識別部６からはＶＴＲに装着されているカセット７の識別情報が、それぞれ上記ＣＰＵシステム１０内のサーチ情報メモリ１１に供給されている。」（第３頁左上欄第１２行〜同右下欄第４行）
　
（１−５）「なお、上記各部１〜６の少なくとも一部機能は、上記ＣＰＵシステム１０によりソフトウェア的に実現されることが多い。例えば、通常の番組録画のためのタイマ設定機能部から上記情報の一部を得ることができ、一般的な録画予約操作により設定された番組の開始（録画開始）と終了の各時刻やチャンネル情報等を、その番組の録画が行われる際に自動的に上記サーチ情報メモリ１１に送って記憶させるようにすればよい。
　さらに、サーチ情報メモリ１１に記憶されたサーチ用の各種情報は、キー入力部１からのキー操作等に応じて、表示部２０にて表示される。」（第４頁左上欄第１５行〜同右上欄第６行）
　
（１−６）「第４図は、本発明実施例のＶＴＲに接続されるテレビジョン受像機のＣＲＴの表示面（スクリーン面）２１を示している。この表示面２１には、先ずカセット識別情報（識別番号）２２が最上部中央位置に表示され、その下にテープ上の録画状態を示す帯グラフ２３が表示されている。この帯グラフ２３の直上位置には、テープ始端を示すＳマーク２４Ｓ 、テープ終端を示すＥマーク２４Ｅ及びテープ現在位置を示す三角矢印２４Ｔが配置され、帯グラフ２３の直下位置には、録画されている番組のテープ始端からの順序を示す数字（番組番号）２５及び頭出し（サーチ）のための矢印２６が配置されている。このような帯グラフ表示部分の下方に、上記録画されている各番組に関する情報が上記番組番号の順に一覧表の形式で表示されている。すなわち、上記番組番号、録画日、曜日、録画開始、終了時刻、及びチャンネルの各項目が、１つの録画番組毎にそれぞれ１行に表示されている。ここで上記頭出し用の矢印２６は、上記第１図のキー入力部１でのキー操作により、例えば番組番号を指定して任意に設定することができ、例えば自動頭出しモードに切換操作することで自動的に矢印２６で指定された番組番号の番組をサーチして番組の頭部分から再生を行うようにすることができる。
　この第４図の具体例では、テープ始端位置から順に、番組番号が「１」から「４」までの４つの番組が録画されており、各番組の録画時間はそれぞれ順に１時間、２０分、３０分、１０分となっていることが、帯グラフ２３から容易に確認できる。また、各番組に関する情報としての録画日、曜日、録画開始、終了時刻、及びチャンネルは、表示面２１の下半部分の一覧表から明隙に知ることができる。この他、図示はしていないが、番組のジャンル（映画、スポーツ、ニュース、音楽、ドラマ等の区別）や、番組に関するユーザのメモ等を、上記キー入力部１から入力してメモリ１１に記憶させておき、上記一覧表に含めて表示させるようにしてもよい。また、録画後に再生して見たことを示すマーク（再生済マーク）をキー入力によりあるいは自動的に上記一覧表や帯グラフに関連して表示させてもよい。」（第４頁右下欄第２０行〜第５頁左下欄第１行）
　
（１−７）「以上の説明から明らかなように、本発明実施例のカセット式ＶＴＲによれば、ＶＴＲ内に設けられた情報記憶手段としてのメモリ１１に上記サーチ用の各種情報を記憶しているため、ラベル等に情報を記入する手間が不要となり、頻繁に再録画して使用するカセットに対しても、再録画時の情報の書き換えが容易に行え、実用的である。しかも、サーチ用情報の書き込みについては、録画動作時に各部２〜６からの情報をＣＰＵシステム１０のメモリ１１に転送することで自動的に行われ、キー入力部１を用いての情報入力操作は特に不要である。なお、例えばタイマ録画を行う場合に、タイマ設定操作時の各種情報（曜日、録画開始及び終了時刻、チャンネル等）を実際の録画動作時にメモリ１１に転送するのみでもサーチ用情報を自動的に記憶できる。また、メモリ１１に記憶されたサーチ用情報をテレビジョン受像機のＣＲＴスクリーン面等に表示させることにより、ユーザは、例えばどのテープカセットのどの部分に、いつの何チャンネルの番組が何分録画されているかを容易に確認することができる。
　なお、本発明は上記実施例のみに限定されるものではなく、例えば、上記サーチ用の情報を用いて、テープ等の記録媒体上での番組単位の録画防止機能を実現させることができる。これは、上述した録画後に１回でも再生したときに付される再生済マークと共に用いることが考えられ、新たに録画した番組についてはその番組の記録領域に対して自動的に録画防止がかけられ、その後再生して見た番組には上記再生済マークを付すと共に上記録画防止を解除するようにすればよい。また、カセットを記録装置に装着したとき自動的にそのカセットを識別して当該カセット内の記録媒体に記録されているプログラムのサーチ情報をＣＲＴ等に表示させるようにしてもよい。」（第５４頁右下欄第９行〜第６頁右上欄第３行）
　
　したがって、これらの記載事項及び図面の記載を総合勘案すると、引用例１には、「ＶＴＲに装着されているカセット７の識別情報を供給するカセット識別部６と、番組のジャンル（映画、スポーツ、ニュース、音楽、ドラマ等の区別）や、番組に関するユーザのメモ、録画しようとするカセットの種類（可分用か）の指示情報等の各種キー入力情報を供給するキー入力部１と、テレビジョン放送の選局チャンネル情報を供給するチューナ部２と、テレビジョン放送番組の開始に対応する録画開始時刻及び終了時刻の情報を供給するタイマ部３と、タイマ録画を行う場合に、タイマ設定操作時の各種情報（曜日、録画開始及び終了時刻、チャンネル等）を実際の録画動作時に転送するＣＰＵシステム１０によりソフトウェア的に実現される通常の番組録画のためのタイマ設定機能部と、リール駆動台等の回転検出パルス等を計数（カウント）して得られるテープカウント情報を供給するテープカウンタ部４と、例えばカセットの種類（何分用か）及び供給／巻取リールの回転数の比等に基づいて計算することにより求められるテープ絶対位置情報を供給するテープ位置検出部５と、これら録画しようとするプログラム（テレビジョン放送番組等）に関する情報（例えば月、日、曜日、番組開始（録画開始）時刻及び終了時刻、放送局のチャンネル等）と、当該プログラムのビデオテープ上での録画位置を示すテープ位置情報と、ＶＴＲに装着されているビデオテープカセットの識別情報とを、サーチ用の情報として、プログラムの記録時、すなわちテレビジョン番組の録画時に記憶する、ＣＰＵシステム１０内に設けらたサーチ情報メモリ１１と、カセットを記録装置に装着したとき自動的にそのカセットを識別して当該カセット内の記録媒体に記録されているプログラムのサーチ情報をＣＲＴ等に表示させ、一覧表の形式で表示されている録画されている各番組に関する情報から、キー入力部１でのキー操作により、例えば番組番号を指定して任意に設定し、自動頭出しモードに切換操作することで自動的に矢印２６で指定された番組番号の番組をサーチして番組の頭部分から再生を行うようにすることができるカセット式ビデオテープレコーダ。」の発明（以下、「引用発明」という。）が記載されている。
　
（引用例２）
　引用例２には、次の（２−１）〜（２−５）の事項が記載されている。
　
（２−１）「１．カセットテープを用いて信号の記録、再生を行う磁気記録再生装置であって、カセットテープの装着時にその固有の番号を表わすカセット識別番号を発生するための手段と、上記カセットテープの走行に伴ってテープ走行位置信号を発生する手段と、上記カセットテープの任意の走行位置においてその記録プログラムの内容を表わすタイトル信号を発生するための手段と、少なくとも該手段より発生されたタイトル信号とその発生時点における上記テープ走行位置信号とを上記力セット識別信号によって各カセットテープ毎に識別可能に記憶する記憶手段と、所望時に該記憶手段から上記各カセットテープ毎の記憶内容を続出して適宜の表示手段に表示させるための手段とを備えたことを特徴とする磁気記録再生装置。」（特許請求の範囲）
　
（２−２）「〔産業上の利用分野〕
　本発明は、カセット式の磁気記録再生装置に係り、特に長時間記録用カセットテープを用いるビデオテープレコーダ等として用いるに好適な磁気記録再生装置に関する。」（第１頁右下欄第２行〜同欄第６行）
　
（２−３）「本発明の目的は、上記カセットラベル等へのメモの作成を行わなくとも、各カセットテープ毎の記録プログラム内容およびその記録位置を表わす位置情報等を容易に知ることができ、これに基づいて早送りまたは巻戻し等の高速テープ走行モードでカセットテープの所望記録内容部分を迅速に頭出しすることができるようにした磁気記録再生装置を提供することにある。」（第２頁左上欄第１２行〜同欄第１９行）
　
（２−４）「〔作用〕
　上記各手段を設けたことにより、本発明による磁気記録再生装置では、カセットテープへの記録時または記録済みカセットテープの再生時に、所望時点、例えばある記録プログラムの開始時点で上記タイトル信号を発生させ、該タイトル信号とその発生時点における上記テープ走行位置信号とを上記記憶手段に記憶させておくことができ、しかもこのような記憶は、上記カセット識別信号により、複数のカセットテープの各々について識別可能に区分して行われる。したがって、所望時に、上記記憶手段からその記憶内容を、あるカセットテープ分について、またはすべてのカセットテープ分について読出して適宜の表示手段に表示させることにより、操作者は、各カセットテープ毎の記録プログラム内容（タイトル）とその記録位置（テープ走行位置）とを容易に知ることができ、これに基づいて所望記録部分の自動または手動による高速頭出し操作を行うことができる。」（第２頁右上欄第１５行〜同頁左下欄第１３行）
　
（２−５）「次に再生時の動作について説明する。
　前述の操作で記録が行われたカセットテープ１を再度磁気記録再生装置に装着すると、そのバーコード１０が読取り装置１１によって読取られてカセット番号記憶装置２１に記憶され、その記憶値がカセット識別信号として主記億装置６に送られる。主記憶装置６は、カセット識別信号に基づいてそのメモリの記憶内容のうち、カセットテープ１の分のタイトル信号、テープ走行位置信号等を読出し、これらをタイトル表示装置１５および必要によってはテレビジョン受像器に送出して表示させる。同時に主記憶装置６は、前記したカセットテープ１の取出し時のテープ走行位置信号をも読出してこれを前記レジスタに移し、該レジスタを介してテープ走行位置表示装置１４に表示させる。その結果、タイトル表示装置１５もしくはテレビジョン受像器には、カセットテープ１に記録されている各記録プログラムの内容を表わすタイトルと各記録プログラムの記録開始位置、またはこれらにカセットテープ１の固有の番号を付加したものが適宜の文字またはパターンで表示され、一方、テープ走行位置表示装置１４には、カセットテープ１の取出し時のテープ走行位置、すなわちテープ走行位置の現在値が表示されることになるから、操作者は、これらの表示を見比べることにより、自分の見たい記録プログラムが記録されているテープ走行位置と現在のテープ走行位置との関係を容易に理解することができ、したがって、例えば手動操作によりカセットテープ１を所望位置まで早送りまたは巻戻し走行させて所望記録プログラムの頭出しを行うことができる。この場合、テープ走行位置の演算装置２０から、カセットテープ１の早送りまたは巻戻しに伴うテープ走行量が主記憶装置６のレジスタに入力され、その初期記憶値（前記したカセットテープの再生装着時におけるテープ走行位置を表わす値）への加算または減算を行い、その結果、テープ走行位置表示装置１４には、刻々と変化するテープ走行位置の現在値が表示されることになるので、その表示値から、操作者は、力セットテープ１の走行位置が所望位置に至ったことを容易に判断し得るものである。このような手動による頭出し操作の他に、第１図の実施例では、テープ頭出し制御装置１７が設けられているので、これによりカセットテープ１の自動的な頭出し制御を行うことができる。すなわち、この場合には、操作者は、頭出し位置指定装置１６を操作して所望の記録プログラムが記録されているテープ走行位置を指定し、その後、磁気記録再生装置の再生釦を押せばよい。このような操作が行われると、主記憶装置６には、頭出し再生指令信号（ＰＢ）が入力され、これにより主記憶装置６は、上記レジスタから出力されるテープ走行位置信号を比較回路１８に送り、このテープ走行位置信号と頭出し位置指定装置１６によって指定されたテープ走行位置信号とが比較回路１８において比較され、それらの大小関係に応じて制御回路１９は磁気記録再生装置のコントロール部へ早送りまたは巻戻し指令を出力してカセットテープ１を高速走行させる。
　このようにして、カセットテープ１が所望の指定走行位置まで走行されると、比較回路１８の比較出力が零となり、制御回路１９から低速再生指令が出力され、これにより磁気記録再生装置は低速再生モードとなる。」（第５頁左上欄第３行〜同頁右下欄第６行）
　
３．対比
　本願発明と、引用発明とを対比すると、両者は、次の（ａ）〜（ｆ）の点で一致する。
　
（ａ）引用発明の「ＶＴＲに装着されているカセット７の識別情報を供給するカセット識別部６」は、本願発明の「挿入されたカセットを識別するカセット識別手段」に相当する。
　
（ｂ）引用発明の「録画しようとするプログラム（テレビジョン放送番組等）に関する情報（例えば月、日、曜日、番組開始（録画開始）時刻及び終了時刻、放送局のチャンネル等）」及び「番組のジャンル（映画、スポーツ、ニュース、音楽、ドラマ等の区別）」は、それぞれ、本願発明の「記録する情報に関するインデックス情報」及び「インデックス情報を分類するための記録する情報が属する分野」に相当しており、引用発明において、「録画しようとするプログラム（テレビジョン放送番組等）に関する情報」を供給する「キー入力部１」、「チューナ部２」、「タイマ部３」、及び「タイマ設定機能部」は、本願発明の「情報獲得手段」に相当する。
　
（ｃ）引用発明の「カセットの種類（何分用か）及び供給／巻取リールの回転数の比等に基づいて計算することにより求められるテープ絶対位置情報を供給するテープ位置検出部５」は、本願発明の「カセットに収納されている磁気テープの巻付け位置を検出するテープ位置検出手段」に相当する。
　
（ｄ）引用発明の「サーチ情報メモリ１１」は、「録画しようとするプログラム（テレビジョン放送番組等）に関する情報（例えば月、日、曜日、番組開始（録画開始）時刻及び終了時刻、放送局のチャンネル等）」と、「当該プログラムのビデオテープ上での録画位置を示すテープ位置情報」と、「ＶＴＲに装着されているビデオテープカセットの識別情報」とを記憶するものであり、本願発明の「カセット識別手段と情報獲得手段とテープ位置検出手段からの情報を格納するメモリ手段」に相当する。
　更に、引用発明において、上記各情報の「サーチ情報メモリ１１」への記憶は、プログラムの記録時、すなわちテレビジョン番組の録画時に行われ、また、メモリへの記憶の制御は「ＣＰＵシステム１０」により行われるものであるから、引用発明の「ＣＰＵシステム１０」は、本願発明の「記録時においてそれらの情報をメモリ手段に書き込む書き込み手段」に相当する。
　
（ｅ）引用発明における「カセットを記録装置に装着したとき自動的にそのカセットを識別して当該カセット内の記録媒体に記録されているプログラムのサーチ情報をＣＲＴ等に表示させ、一覧表の形式で表示されている録画されている各番組に関する情報から、キー入力部１でのキー操作により、例えば番組番号を指定して任意に設定し、自動頭出しモードに切換操作することで自動的に矢印２６で指定された番組番号の番組をサーチして番組の頭部分から再生を行うようにする」との点は、本願発明の「カセット識別手段からのカセット識別情報に基づいてメモリ手段からインデックス情報とテープ位置情報を読み出す」こと、「記録情報の頭出しを行わせる」こと、及び「再生時にインデックス情報を分類表示し、分類表示された中から選択されるインデックス情報に対応するテープ位置情報に基づき番組を検索する」ことに相当する。
　
（ｆ）引用発明の「カセット式ビデオテープレコーダ」は、本願発明の「ビデオテープレコーダ」に相当する。
　
　したがって、本願発明と引用例に記載された発明とは次の点で一致する。
　
「挿入されたカセットを識別するカセット識別手段と、記録する情報に関するインデックス情報と前記インデックス情報を分類するための前記記録する情報が属する分野とを入力または収集する情報獲得手段と、前記カセットに収納されている磁気テープの巻付け位置を検出するテープ位置検出手段と、前記カセット識別手段と前記情報獲得手段と前記テープ位置検出手段からの情報を格納するメモリ手段と、記録時においてそれらの情報を前記メモリ手段に書き込む書き込み手段と、前記カセット識別手段からのカセット識別情報に基づいて前記メモリ手段からインデックス情報とテープ位置情報を読み出し、記録情報の頭出しを行わせ、再生時に前記インデックス情報を分類表示し、分類表示された中から選択されるインデックス情報に対応するテープ位置情報に基づき番組を検索することを特徴とするビデオテープレコーダ。」
　
　一方、両者は、以下の点で相違している。
　
（Ａ）相違点１
　本願発明が、「記録する情報が属する分野を表す記号」を用いているのに対し、引用発明が、「番組のジャンル（映画、スポーツ、ニュース、音楽、ドラマ等の区別）」（本願発明の「記録する情報が属する分野」に相当。）を用いることは記載されているものの、その「ジャンル」を表す「記号」については、特に示されていない点。
　
（Ｂ）相違点２
　本願発明が、「メモリ手段」から各情報を読み出す「読み出し手段」と、読み出された情報に基づいて頭出しを行う「プログラム検索手段」とを有しているのに対し、引用発明が、各情報を読み出し、頭出しを行うことに関する記載はあるものの、この様な手段を有することが示されていない点。
　
４．当審の判断
（Ａ）相違点１について
　本願発明において、「記録する情報が属する分野を表す記号」とは、本願の図３に示されているように、例えば、映画を表現するための記号はそれ自体で映画を連想でき得るものであり、また、段落【００２８】及び【００２９】に記載があるように、ジャンルを意味する記号のパターンとしては、ジャンルの文字を読まなくともそれが連想できる有色で一般的に分かりやすいものが望ましく、記号を付加することにより、使用者が番組のインデックス情報を単に文字情報として捉えるだけでなく、記号を見ることで番組の持つイメージ連想させることができ、特に注意してインデクス情報の文字を読むことなく、見たい番組が探し出せるという効果を有するものである。
　この様な記号は、当該技術分野において周知である「アイコン」に相当するものであり、「アイコン」を用いて記録媒体に記録された情報等を読み出すことは、当該技術分野において周知の技術である。必要であれば、特開平３−１３４８８３号公報、特開平４−１９６７７９号公報、特開平４−２１１５８７号公報等を参照されたい。そして、当該周知の技術を引用発明に適用し、引用発明の「番組のジャンル（映画、スポーツ、ニュース、音楽、ドラマ等の区別）」を「アイコン」を用いて表し、これを選択して記録された情報の頭出しを行うようにすることに、格別の困難性はない。
　
（Ｂ）相違点２について
　引用例２には、「カセットテープの装着時にその固有の番号を表わすカセット識別番号を発生するための手段」と、「カセットテープの走行に伴ってテープ走行位置信号を発生する手段」と、「カセットテープの任意の走行位置においてその記録プログラムの内容を表わすタイトル信号を発生するための手段」と、「少なくとも該手段より発生されたタイトル信号とその発生時点におけるテープ走行位置信号とを力セット識別信号によって各カセットテープ毎に識別可能に記憶する記憶手段」と、「所望時に該記憶手段から各カセットテープ毎の記憶内容を続出して適宜の表示手段に表示させるための手段」と、更に、カセットテープの自動的な頭出し制御を行う「テープ頭出し制御装置１７」とを備えた「磁気記録再生装置」に関する記載があり、上記「所望時に該記憶手段から各カセットテープ毎の記憶内容を続出して適宜の表示手段に表示させるための手段」及び「テープ頭出し制御装置１７」は、それぞれ、本願発明の「読み出し手段」及び「プログラム検索手段」に相当するものであるから、上記相違点２とした本願発明の構成は、当該技術分野において公知の技術である。また、当該公知の技術を引用発明に適用し、本願発明の構成とすることに格別の困難性はない。
　
５．むすび
　以上のとおりであって、本願の請求項１に係る発明は、その出願前に頒布された引用例１〜２に記載された発明及び当該技術分野における周知技術に基づいて、当業者が容易に発明をすることができたものであるから、特許法第２９条第２項の規定により特許を受けることができない。
　
　よって、結論のとおり審決する。